(57)【要約】機器本体であるパネル２の前面にスクリーン３を設け、前記パネル２内の発光素子５から発信される赤外線信号を前記スクリーン３を透過させるようにした赤外線信号送信機において、前記スクリーン３と一体に導光部６を形成すると共に、この導光部６の赤外線信号入口部６ａを前記発光素子５の発信部６ａに近接させてなる。
2009008117.tif 000002
【特許請求の範囲】
【請求項１】
機器本体の前面にスクリーンを設け、前記機器本体内に設置した発光素子から発信される赤外線信号を前記スクリーンを透過させて送信する赤外線信号送信機において、
前記スクリーンと一体に導光部を設けると共に、この導光部の端部を前記発光素子の発信部に近接させたことを特徴とする赤外線信号送信機。
【請求項２】
前記導光部を弾性を有する形状としたことを特徴とする請求項１記載の赤外線信号送信機。
【請求項３】
前記スクリーン及び導光部は樹脂で成形されていることを特徴とする請求項１記載の赤外線信号送信機。
【発明の詳細な説明】
【技術分野】
【０００１】
この発明は、赤外線を信号として送信する赤外線信号送信機に関する。
【背景技術】
【０００２】
赤外線は信号の伝送媒体として種々の機器に利用されている。機器のＯＮ、ＯＦＦ信号だけでなく、音声信号をのせて伝送する使い方もされている。現在考えられている赤外線信号送信機の例を図６、７、８に示す。これらは、例えばＤＶＤプレーヤー、ＴＶ受像機などに組み込まれているものである。【０００３】
図６に示す赤外線信号送信機１０１は、箱状のパネル（機器本体）１０２の前面にスクリーン１０３を設けてなる。パネル１０２内には基板１０４が設けられ、基板１０４上には砲弾型の発光素子（ＬＥＤ）１０５が設けられる一方、発光素子１０５の上方においてパネル１０２の前面部に、発光素子１０５からの赤外線信号を反射させるための反射面１０２ａが形成されている。発光素子１０５からの赤外線信号は、反射面１０２ａで反射され、スクリーン１０３を透過して前方へ送信される。赤外線信号の光路を符号１０６で示してある。このような技術は、例えば特許文献１の図１、図２などに示されている。【０００４】
図７に示す赤外線信号送信機２０１は、発光素子として面実装型の発光素子２０２を用いたもので、その他の構成は図６に示したものと同じである。面実装型の発光素子２０２は実装方向が水平か垂直の２方向のみに限られており、指定方向、つまり基板１０４上に、赤外線信号を送信したい方向に直接向けて設置することはできない。従って、発光素子２０２から上方に出力された赤外線信号を、反射面１０２ａで反射させ、スクリーン１０３を透過させて前方へ送信するようにしている。赤外線信号の光路を符号２０３で示している。【０００５】
また、図８に示す赤外線信号送信機３０１は、基板１０４の下側に、砲弾型の発光素子３０２を設け、発光素子３０２から直接赤外線信号をスクリーン１０３に発信するようにしたものである。赤外線信号の光路を符号３０３で示してある。砲弾型の発光素子３０２は、台座３０４を介して基板１０４上に設置される。台座３０４の形状、位置を調整することにより発光素子３０２からの赤外線信号の向きを設定するようにしている。その他の構成は図６に示したものと同じである。
なお、特許文献１の図３には、更に他の構成として、発光素子からの光信号を、光導管を用いて光信号用窓に導くようにした技術が開示されている。【０００６】
【特許文献１】特開２００２−３５２３７１号公報
【０００７】
しかし、図６、図７に示した従来の赤外線信号送信機１０１、２０１の構造では、パネル１０２などに反射面１０２ａを設けなければならず、反射面１０２ａの状態により反射した赤外線信号の減衰が発生しやすく、また赤外線信号は乱反射するために信号が弱くなってしまう。更に、反射板１０２ａとスクリーン１０３との間には空間があるので、ここでの赤外線信号の減衰もある。【０００８】
図８に示した従来の赤外線信号送信機３０１の構造では、赤外線信号光路３０３を安定させるために台座３０４が必要であり、構成部品が増えてしまう。また台座３０４の調整は難しく、組み立てに時間がかかり、生産性が悪い。
なお、特許文献１の図３などに記載のものでは、別部材としての光導管が必要であり、部品点数が増え、光導管の調整にも手間がかかるといった問題がある。【０００９】
この発明は、このような状況にかんがみてなされたもので、構造が簡単で部品点数も少なく、精度良く赤外線信号光路を設定することができ、しかも赤外線信号の減衰の少ない赤外線信号送信機を提供することを目的とする。
【発明の開示】
【００１０】
この発明に係る赤外線信号送信機は、機器本体の前面にスクリーンを設け、前記機器本体内の発光素子から発信される赤外線信号を前記スクリーンを通して発信する赤外線信号発信機において、前記スクリーンと一体に導光部を形成すると共に、この導光部の端部である赤外線信号入口部を前記発光素子の赤外線信号送信部に近接させてなる。
【００１１】
この発明に係る赤外線信号送信機によれば、赤外線信号の導光部をスクリーンと一体に形成し、しかもその赤外線信号入口部を発光素子の発光部に近接させるようにしたので、構造が簡単で部品点数も少なく、スクリーンを機器本体に組み付けるだけで、赤外線信号光路を精度良く設定することができ、かつ導光部と発光素子とが近接するので、赤外線信号の減衰を防ぐことができる。更に、導光部の形状を任意に設定することができるので、設計の自由度が大きく、赤外線信号の光路上の障害物を容易に回避するなどして所望の方向に赤外線信号を発信させることができる。
【図面の簡単な説明】
【００１２】
【図１】本発明の実施の形態１に係る赤外線信号送信機の断面図である。
【図２】実施の形態１に係る赤外線信号送信機の外観図である。
【図３】実施の形態１に係る赤外線信号送信機の他の例の断面図である。
【図４】実施の形態１に係る赤外線信号送信機の他の例の断面図である。
【図５】実施の形態２に係る赤外線信号送信機の断面図である。
【図６】従来の赤外線信号送信機の１例の断面図である。
【図７】従来の赤外線信号送信機の他の例の断面図である。
【図８】従来の赤外線信号送信機の他の例の断面図である。
【発明を実施するための最良の形態】
【００１３】
以下、この発明をより詳細に説明するために、この発明を実施するための最良の形態について、添付の図面に従って説明する。
実施の形態１．
この発明に係る赤外線信号送信機の実施の形態１を図１、２に基づき説明する。図１は、実施の形態１に係る赤外線信号送信機の断面図であり、図２は赤外線信号送信機の概略外観図である。このような赤外線信号送信機は、例えばＤＶＤプレーヤー、ＴＶ受像機などに組み込まれる。赤外線信号には例えば音声信号がのせられる。【００１４】
図２に示すように、この赤外線信号送信機１は、機器本体であるパネル２の前面にスクリーン３が設けられている。このスクリーン３の部分が、ＤＶＤプレーヤーなどの前面に位置する。図１に示すように、パネル２内には基板４が設けられており、この基板４上に、発光素子５が設けられる。この例では、面実装型の発光素子５が、平坦な発信部５ａを上向きにして設けられている。なお、図示はされていないが、基板４には、その他の電子部品が設置されている。【００１５】
一方、スクリーン３の内側面には、導光部６がスクリーン３と一体的に形成されている。導光部６の平坦な端部は信号入口部６ａであり、発光素子５の発信部５ａに対面する如く近接して位置される。つまり、導光部６の信号入口部６ａと発光素子５の発信部５ａとは微小な隙間をもって対面されるか当接（接触）される。赤外線信号は、信号入口部６ａから導光部６の中に入り、導光部６の内壁面で反射し、更にスクリーン３を透過して外部へ発信される。この実施の形態では、赤外線信号は、やや上向きに発信されるようにしたものである。赤外線信号の光路を符号７で示す。つまり、導光部６は、その信号入口部６ａが発光素子５の発信部５ａに対面するように、位置を考慮しかつ発信方向を考慮してスクリーン３と一体に形成される。スクリーン３及び導光部６の材料としては、例えば透明なポリカーボネイト樹脂やＡＢＳ樹脂などが採用される。樹脂材料としてはそれ以外にも種々のものが採用可能である。【００１６】
この実施の形態１に係る赤外線信号送信機１では、発光素子５からの赤外線信号は、発信部５ａから直接導光部６へその信号入口部６ａから入り、導光部６内を反射して進み、スクリーン３を透過して前方やや上向きに発信される。赤外線信号は、損失の原因となる空間部を通過することなく発信されるので信号の損失は極めて少なくなる。【００１７】
図３には、この実施の形態１の赤外線信号送信機１の変形例に係る赤外線信号送信機２１を示す。この赤外線信号送信機２１は、赤外線信号を図２に示す状態でやや下向きに取り出すようにしたものである。赤外線信号をやや下向きに取り出すため、スクリーン３と一体に形成される導光部を図１に示したものとは異なる形状にしてある。つまり、スクリーン３と一体に形成する導光部２２を図１に示したものより湾曲させてある。導光部２２の信号入口部２２ａは平坦面となっており、基板４上に設けられた発光素子５の信号発信部６ａに近接して配置される。その他の構造は、図１に示したものと同じである。【００１８】
この実施の形態１の変形例に係る赤外線信号送信機２１では、発光素子５の発信部５ａから出た赤外線信号は、信号入口部２２ａから直接導光部２２に入り、導光部２２内を反射して進み、スクリーン３を透過して前方やや下向きに発信される。赤外線信号の光路を符号２３で示す。赤外線信号は、損失の原因となる空間部を通過することなく発信されるので信号の損失は極めて少なくなる。【００１９】
図４には実施の形態１に係る赤外線信号送信機１の更に他の変形例を示す。この実施の形態に係る赤外線信号送信機３１は、基板４の下側でスクリーン３からやや離れた位置に設けられた発光素子５からの赤外線信号を斜め上方に導くようにしたものである。設計上の都合などにより発光素子５を設ける場所が、スクリーン３から離れた箇所に限定される場合があり、そのような場合に対応したものである。スクリーン３と一体に形成される導光部３２は基板４の下側に延び、その平坦な信号入口部３２ａは、基板４の下面に設けた発光素子５の信号発信部６ａに近接する。導光部３２は、基板４上の部品をよけて発光素子５に直接近接する。【００２０】
この実施の形態１の変形例に係る赤外線信号送信機３１では、発光素子５からの赤外線信号は、発光素子５の発信部５ａからほぼ直接導光部３２へその信号入口部３２ａから入り、導光部３２内を反射して進み、スクリーン３を透過して前方やや上向きに発信される。赤外線信号の光路を符号３３で示す。赤外線信号は、損失の原因となる空間部を通過することなく発信されるので赤外線信号の損失は極めて少なくなる。【００２１】
従来の如く反射面を用いた場合には、赤外線信号の取り出し方向を変える場合には、発光素子を設ける位置、反射面の位置や傾きを変える必要がある。またこれらを変えても対応し切れない方向（角度）が存在し、対応不可能な場合もある。例えば、赤外線信号送信機を備えた機器が車載機である場合、その機器の車体への取り付け状態（角度）に合わせて赤外線信号の発射方向を設定する必要があるが、その発射方向への設定がしにくい場合が生じる。しかし、この発明の実施の形態１に係る赤外線信号送信機１、２１、３１によれば、スクリーン３と一体に形成する導光部の形状を変えることにより（導光部６、２２、３２）、赤外線信号の光路７、２３、３３を広い範囲にわたって調整することができるので、車載機の取り付け状態に応じてスクリーン３を取り替えることにより、指定方向に赤外線信号を出すことができる。つまり、安価に機種展開ができるのである。【００２２】
また、この実施の形態１に係る赤外線信号送信機１は、赤外線信号を導く経路を、スクリーン３と導光部６、２２、３２とからなる一体物として製作するので、部品点数が減少し構造が簡素化される。しかもパネル２に対しスクリーン３を組み付けることにより、光路７、２３、３３も設定されるので、赤外線信号光路７、２３、３３の設定精度が向上し、製造組み立ても極めて容易となって生産性が向上する。【００２３】
実施の形態２．
図５には、実施の形態２に係る赤外線信号送信機４１を示す。この実施の形態に係る赤外線信号送信機４１は、導光部に弾性を持たせたものである。また、設計上の都合などにより発光素子５を設ける場所が、スクリーン３から離れた箇所でしかもスクリーン３との間にパネル２の前壁２ａなどが存在するような箇所に限定される場合があり、そのような場合にも対応できる。スクリーン３と一体に形成される導光部４２は弾性を有するようにある程度の長さをもって形成される。スクリーン３をパネル２に取り付けるとき、導光部４２は、その弾性により変形してパネル２の前壁２ａをよけて基板４上の発光素子５に至る。導光部４２の平坦な信号入口部４２ａは、導光部４２の弾性により発光素子５の発信部５ａに密着される。つまり、導光部４２と発光素子５との隙間をゼロとすることができる。【００２４】
この実施の形態２に係る赤外線信号送信機４１によれば、実施の形態１と同様の効果を奏する。更に、従来の構造では、発光素子と導光部との隙間をゼロにするには、高い部品の精度、組み立て精度が必要となり、実現が難しいが、この実施の形態２に係る赤外線信号送信機４１によれば、スクリーン３をパネル２に組み付けることにより、導光部４２の弾性により導光部４２の信号入口部４２ａが発光素子５の発信部５ａに隙間ゼロで密着するので、赤外線信号の損失を抑えることができる。
【産業上の利用可能性】
【００２５】
以上のように、この発明に係る赤外線信号送信機は、赤外線を透過して発信させるスクリーンと一体に形成された導光部の形状を変えることで簡素な構成で赤外線信号の光路を広い範囲で調整することができるので、赤外線信号に音声信号等をのせて伝送するＤＶＤプレーヤーなどに用いるのに適している。
【図１】
2009008117.tif 000003
【図２】
2009008117.tif 000004
【図３】
2009008117.tif 000005
【図４】
2009008117.tif 000006
【図５】
2009008117.tif 000007
【図６】
2009008117.tif 000008
【図７】
2009008117.tif 000009
【図８】
2009008117.tif 000010
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
機器本体の前面にスクリーンを設け、前記機器本体内に設置した発光素子から発信される赤外線信号を前記スクリーンを透過させて送信する赤外線信号送信機において、
前記スクリーンと同一材料で一体形成して導光部を設けると共に、この導光部の端部を前記発光素子の発信部に近接させたことを特徴とする赤外線信号送信機。
【請求項２】
前記導光部を弾性を有する形状としたことを特徴とする請求項１記載の赤外線信号送信機。
【請求項３】
前記スクリーン及び導光部は樹脂で一体形成されていることを特徴とする請求項１記載の赤外線信号送信機。
【手続補正２】
【補正対象書類名】明細書
【補正対象項目名】００１０
【補正方法】変更
【補正の内容】
【００１０】
この発明に係る赤外線信号送信機は、機器本体の前面にスクリーンを設け、前記機器本体内の発光素子から発信される赤外線信号を前記スクリーンを通して発信する赤外線信号発信機において、前記スクリーンと同一材料で一体に導光部を形成すると共に、この導光部の端部である赤外線信号入口部を前記発光素子の赤外線信号送信部に近接させてなる。
【手続補正３】
【補正対象書類名】明細書
【補正対象項目名】００１１
【補正方法】変更
【補正の内容】
【００１１】
この発明に係る赤外線信号送信機によれば、赤外線信号の導光部をスクリーンと同一材料で一体に形成し、しかもその赤外線信号入口部を発光素子の発光部に近接させるようにしたので、構造が簡単で部品点数も少なく、スクリーンを機器本体に組み付けるだけで、赤外線信号光路を精度良く設定することができ、かつ導光部と発光素子とが近接するので、赤外線信号の減衰を防ぐことができる。更に、導光部の形状を任意に設定することができるので、設計の自由度が大きく、赤外線信号の光路上の障害物を容易に回避するなどして所望の方向に赤外線信号を発信させることができる。
【国際調査報告】
2009008117.tif 000011
2009008117.tif 000012